(57)【要約】  本発明は、被処理流体中に存在している成分を分離除去するためのスパイラル型分離膜エレメントを複数装填した分離膜モジュールに関する。本発明は、筒状耐圧容器に複数のスパイラル型分離膜エレメントを装填した分離膜モジュールにおいて、シール面に高硬度の異物があった場合でもシール性を維持して分離膜モジュールの性能を十分に発揮しつつ、装填、取り出しを容易にし、メンテナンス時間や労力を低減する分離膜モジュールおよび分離膜エレメントの交換方法を提供する。【特許請求の範囲】
【請求項１】
複数の分離膜エレメントを、筒状圧力容器内に装填した分離膜モジュールにおいて、
分離膜エレメントが、分離膜を含む膜ユニットが巻回されてなる膜ユニット巻体の外周が外装体で覆われ、膜ユニット巻体及び外装体の少なくとも片端にテレスコープ防止板が設けられ、少なくとも１つのテレスコープ防止板の外周に原水シール部材が設けられてなるスパイラル型分離膜エレメントであり、
分離膜エレメントを筒状圧力容器内で実質的に両方向に移動可能とする原水シール部材（ａ）を備える分離膜エレメント（Ａ）が、複数の分離膜エレメントの中の少なくとも片側の端部に装填されており、
分離膜エレメントを筒状圧力容器内で実質的に一方向にのみ移動可能とする原水シール部材（ｂ）を備える分離膜エレメント（Ｂ）が、前記複数の分離膜エレメントの中の分離膜エレメント（Ａ）が装填された位置以外の全ての位置に装填されていることを特徴とする分離膜モジュール。
【請求項２】
分離膜エレメント（Ａ）が複数の分離膜エレメントの中の少なくとも片側の端部から連続して複数個装填されていることを特徴とする請求項１に記載の分離膜モジュール。
【請求項３】
原水シール部材（ａ）がスプリットリング状の非弾性材製シール部材またはＯ−リング状の弾性材製シール部材であることを特徴とする請求項１または２に記載の分離膜モジュール。
【請求項４】
原水シール部材（ｂ）がＵ−カップ状またはＶ−カップ状の弾性材製シール部材であることを特徴とする請求項１〜３のいずれか一項に記載の分離膜モジュール。
【請求項５】
分離膜エレメント（Ａ）の性能が分離膜エレメント（Ｂ）の性能と異なることを特徴とする請求項１〜４のいずれか一項に記載の分離膜モジュール。
【請求項６】
請求項１〜５のいずれか一項に記載の分離膜モジュールにおいて分離膜エレメントを交換する方法であって、分離膜エレメント（Ｂ）を筒状圧力容器内から取り出すことなく少なくとも片側の端部に装填された分離膜エレメント（Ａ）を筒状圧力容器内から取り出すことを特徴とする分離膜エレメントの交換方法。
【発明の詳細な説明】
【技術分野】
【０００１】
本発明は、被処理流体中に存在している成分を分離除去するためのスパイラル型分離膜エレメントを複数装填した分離膜モジュールに関するものである。
【背景技術】
【０００２】
近年、気体分離膜、逆浸透膜、ナノ濾過膜、限外濾過膜、精密濾過膜等、様々な分離膜を用いた流体分離技術は、高精度で省エネルギーの処理プロセスとして注目され、各種流体処理への適用が進められている。たとえば、逆浸透膜を用いた逆浸透分離法では、塩分等の溶質を含んだ溶液を該溶液の浸透圧以上の圧力で逆浸透膜を透過させることで、塩分等の溶質の濃度が低減された液体を得ることが可能であり、例えば海水やかん水の淡水化、超純水の製造、有価物の濃縮回収など幅広く用いられている。【０００３】
これらの分離膜は、平膜、管状膜、中空糸膜など様々な形態を有するが、平膜の場合、スパイラル型分離膜エレメントという形態で用いられることが多い。従来のスパイラル型分離膜エレメントの構造としては、たとえば特許文献１や図１に示すように、分離膜１、供給側流路材３及び透過側流路材２の積層体の単数または複数が、有孔の中心管４の周りに巻きつけられ、その両端側にテレスコープ防止板５を設置したものが知られている。【０００４】
この分離膜エレメントは、被処理流体（原水）６が一端面より供給され、供給側流路材３に沿って流動しながら成分の一部（例えば、海水淡水化の場合は水）が分離膜１を透過することにより分離される。その後、分離膜を透過した成分（透過流体（透過水）７ａ）は、透過側流路材２に沿って流動して、中心管４内へとその側面の孔から流入し、中心管４内を流動し、分離膜エレメントの他端面より透過流体（透過水）７として取り出される。一方、非透過成分（海水淡水化の場合は塩分）を高濃度に含有する処理流体は、分離膜エレメントの他端面より濃縮流体（濃縮水）８として取り出される。【０００５】
上記した従来の分離膜エレメントにおいては、通常、原水側に配置されたテレスコープ防止板の外周側の周回溝に弾性材製シール部材が嵌着されていて、その分離膜エレメントが圧力容器であるベッセル内に、複数本、装填されて使用される。分離膜エレメントは、テレスコープ防止板の外周側の周回溝に弾性材製シール部材が嵌着されることにより、分離膜エレメントと圧力容器との隙間を弾性材製シール部材にてシールすることができ、その隙間内の被処理液体の流通が阻止されるので、効率良く被処理流体を分離膜エレメントにて処理することができる。従来は、断面Ｏ字状のＯ−リングシールや断面Ｕ字状のＵ−カップシールなどの弾性樹脂製シール部材が使用されている。Ｏ−リングシールを使用した場合は、テレスコープ防止板の外周側の周回溝に嵌着されたＯ−リングシールが、圧力容器の内壁と接触し、Ｏ−リングシールがつぶれて変形することで、分離膜エレメントと圧力容器内との隙間を埋めている。【０００６】
図２は、Ｏ−リングシール１２がテレスコープ防止板５の外周部１０に嵌着された分離膜エレメントが圧力容器内に装填された状態を示すものであって、Ｏ−リングシール装着部分の近傍を拡大して模式的に示す部分拡大断面図である。図２において、Ｏ−リングシール１２は、圧力容器の内壁９と圧接している部分において変形し、圧力容器の内壁９との接触面積が大きくなっている。さらに、Ｏ−リングシール１２は弾性樹脂で構成されているので圧力容器の内壁９との摺動摩擦が大きい。【０００７】
そのため、圧力容器内で分離膜エレメントを移動させる際には、Ｏ−リングシール１２と圧力容器の内壁９との摩擦に抗するために大きな荷重が必要であり、特に、複数本の分離膜エレメントを圧力容器内で移動させる場合は特に大きな荷重となって労力がかかるため、実際に圧力容器内に分離膜エレメントを着脱させる作業は非効率となる。【０００８】
このようなＯ−リングシールの問題点を解消するために、分離膜エレメントのシール部材として、Ｕ−カップリングシールもしくはＶ−カップリングシールが考案され広く使用されている。このＵ−カップリングシールは、弾性樹脂を用い、Ｕ字状の開いた部分が原水側に向くように分離膜エレメントのテレスコープ防止板にセットされている。このＵ−カップシールは、原水側から水が供給された時に、その水圧でＵ字が開き、Ｕ−カップシールと圧力容器との隙間を埋める構造になっている。Ｖ−カップリングシールも同様である。【０００９】
図３は、Ｕ−カップシール１３がテレスコープ防止板の外周部１０に嵌着された分離膜エレメントが圧力容器内に装填された状態を示すものであって、Ｕ−カップシール装着部分の近傍を拡大して模式的に示す拡大断面図である。図３において、Ｕ−カップシール１３は、圧力容器の内壁９との接触面積は比較的小さいが、前述したとおり、原水上流から下流（図３の左から右への方向）に流れる流体に対してはシール機能が発揮される。しかし、図３の右から左へと流れる流体に対してはシール機能不十分になりやすい。すなわち、Ｕ−カップシールは、圧力容器内で原水上流側から原水下流側に分離膜エレメントを移動させる際は、Ｕ−カップシールの端が圧力容器の内壁と軽く接触する程度であり、容易に圧力容器内で分離膜エレメントを移動させることができるが、圧力容器内で原水下流側から原水上流側に移動させようとすると、Ｕ−カップシールの端が圧力容器の内壁と強く接触し、さらには、Ｕ−カップシールの端が反り返り、分離膜エレメントと圧力容器の隙間にＵ−カップシールが挟まってしまい、圧力容器内で分離膜エレメントを移動させるために非常に大きな荷重が必要となるとともに、Ｕ−カップシールを損傷してシール機能を損なうこととなる。そのため、Ｕ−カップリングシールはＯ−リングシールと異なり、実質的には圧力容器内で原水下流側から原水上流側に移動することはできないという特徴を有している。そこで、Ｕ−カップシールを適用する場合、分離膜エレメントの圧力容器内への脱着作業は、圧力容器の原水上流側から分離膜エレメントを挿入し、原水下流側に押し込み、原水下流（濃縮水）側から原水下流側にある分離膜エレメントを抜き出す、あるいは、原水下流（濃縮水）側から原水下流側にある分離膜エレメントを引き出す方法を採用している。【００１０】
分離膜エレメントは、１つの分離膜エレメントのみを圧力容器に装填して使用する場合もあるが、図５に例示するように、複数の分離膜エレメントを１つの圧力容器に連結して装填するのが一般的である。複数の分離膜エレメントを装填する場合、圧力容器内に装填された分離膜エレメントは、原水中の汚れ物質が原水上流の分離膜エレメント内の膜面に付着し堆積していき、分離膜エレメントの機能が低下し、全体の生産水の水量、水質が低下してくることが一般的であり、この膜面への汚れの付着・堆積は、特に、原水上流側に一番近い分離膜エレメント内の膜面の原水上流側部分において多い。また、原水が分離膜を透過するに従って、濃縮された結果、最も原水下流側に近いところでは、溶解度を超えた溶質がスケールとなって析出し、膜面に堆積したり、原水流路を閉塞したりする場合がある。もちろん、通常は溶解度を超えないように濃縮限界以内で運転するが、原水濃度や温度が想定外に変動した場合は、スケール析出に至る場合がある。いずれも、分離膜エレメントを装填したまま、様々な洗浄作業を実施することによって、ある程度回復させることはできるが、最終的には、最も汚れた原水上流側に一番近い分離膜エレメントやスケール析出した最も下流側にある分離膜エレメントを取り除いて、新しい分離膜エレメントを装填することで、全体の生産水の水量、水質を改善することになる。ここで、圧力容器内の分離膜エレメントにＵ−カップシールが図３のように嵌着されている場合、圧力容器内で分離膜エレメントを移動させる場合には常に原水上流側から原水下流（濃縮水）側への方向である必要があるので、原水最上流側の分離膜エレメントを取り除くためには、圧力容器内の他の下流側の分離膜エレメントを一旦原水下流側から圧力容器外に取り出す必要があり、多大な時間と労力を要する作業となっている。その後の再装填作業では、最後に取り出された原水最上流側もしくは、上流側からいくつかの分離膜エレメントを新品の分離膜エレメントに交換して、再度、原水上流側から新品の分離膜エレメントを最初に原水側から圧力容器内に装填する。このとき、装填する順番は、新品の分離膜エレメントに交換しなかった分離膜エレメントの状態によって適宜決定されるが、一般的には、新品の分離膜エレメントを最も下流（濃縮水）側に装填する。このことによって、次回の交換は、先頭に配置された古い分離膜エレメントを交換することになり、各分離膜エレメントの使用時間が均一化され、効果的であるが、分離膜エレメントを取り出す場合と同様に、多大な労力を要していた。最も下流側の分離膜エレメントを交換する場合は、１本だけ取り出すことは可能であるが、その部分に新品の分離膜エレメントを装填したい場合は、原水上流側から装填する必要があり、結局他の分離膜エレメントも一度取り出さなければならなくなり、分離膜エレメントを取り出す場合と同様に労力を要することとなる。【００１１】
かかる課題を解決すべく、特許文献２には、ベッセル内での分離膜エレメント移動時の抵抗を低減し、方向に関係無く分離膜エレメントを装填できるようにするために、分離膜エレメントのシール部材にＯ−リングシールや断面略Ｘ状シール部材を使用し、分離膜エレメント装填完了時にＯ−リングシール部材が接触する部分以外の圧力容器の内径を大きくし、摩擦抵抗が発生する箇所を低減させることが提案されている。ただし、本技術はベッセル内の分離膜エレメントが１本の場合は適用可能であるものの、複数本の分離膜エレメントをベッセル内に装填する装置に上記ベッセル装置構造（圧力容器内のＯ−リングシールが装填完了時に接触する部分以外の内径のサイズを大きくする装置構造）を適用した場合には、圧力容器内に複数の凹凸が存在し、装填、抜き出し作業時に、隣接する分離膜エレメントの位置がずれることになる。また、分離膜エレメントを圧力容器内に複数本装填する際には、分離膜エレメントの透過水パイプ部に、Ｏ−リングなどのシール部材を有するコネクターを挿入して連結する必要があるが、分離膜エレメントを圧力容器内で移動させる時に圧力容器内の凹凸で、隣接する分離膜エレメントの透過水パイプの位置がずれ易くなる。透過水パイプの位置ずれが生じると、コネクターの装着が困難となり易いなどの問題が生じるため、複数の分離膜エレメントの装填には不適である。【００１２】
さらに、Ｏ−リングシールとＵ−カップシールの欠点を解決する方法として、図４に示すスプリットリング状のシール部材１４（以下、「スプリットリングシール」という）が特許文献３に提案されている。スプリットリングシールは、環状シール部材が１箇所以上で切断・分割された形状を有するものであって、非弾性樹脂や金属などの非弾性の材料を素材とするものである。また、スプリットリングシールの外周部の長さ（外周長）は、そのスプリットリングシールのスプリット部１５を繋げて環状にした時の外径１７が、圧力容器の内壁の直径サイズよりも少し大きくなるように設計され、実際に分離膜エレメントのテレスコープ防止板に装着して圧力容器内に装填された時には、そのスプリット部１５の隙間が縮まり、スプリットリングシールが圧力容器の内壁と密接する構造となるようになっている。これによって、上記の従来技術における問題点を解決し、スパイラル型分離膜エレメントを筒状圧力容器内に装填する時も、また、分離膜エレメントを圧力容器から抜き取る時も、容易に分離膜エレメントを圧力容器内で移動させることができる。特に、圧力容器内の原水側に一番近い分離膜エレメントを抜き取り、新品の分離膜エレメントを濃縮水側に一番近い位置に補充する分離膜エレメント一部交換作業の場合、特許文献３の発明によると、圧力容器の原水下流（濃縮水）側から新品の分離膜エレメントを押し込み、原水上流側から所定の分離膜エレメントを抜きとることが可能となり、分離膜エレメントの抜き取りと補充の作業を、非常に効率良く行うことができる。
【先行技術文献】
【特許文献】
【００１３】
【特許文献１】日本国特開平１０−１３７５５８号公報
【特許文献２】日本国特開２００８−２０７０４９号公報
【特許文献３】国際公開第２０１１／０４６９４４号
【発明の概要】
【発明が解決しようとする課題】
【００１４】
しかし、特許文献３に記載されたスプリットリングシールは非弾性体であるため、圧力容器内側とスプリットリングシール外側において高い表面加工精度が要求され、さらに、分離膜エレメントの装填、取り出しに際して、シール面に高硬度の異物があった場合、分離膜エレメントを圧力容器内で摺動させた結果スプリットリングシールに傷がつく危険性があり、分離膜エレメントの圧力容器からの装填、取り出しは非常に容易であるものの、シール性が損なわれるリスクを有していた。ここで、万一、シール不良によるリークが起こってしまうと、被処理流体の一部が圧力容器内の分離膜エレメント外側を通ることとなり、分離膜エレメントを通らずに直接濃縮流体側へショートパスするため、実質的な分離性能が低下してしまう問題があった。【００１５】
そこで、本発明の目的は、筒状耐圧容器に複数のスパイラル型分離膜エレメントを装填した分離膜モジュールにおいて、シール面に高硬度の異物があった場合でもシール性を維持して分離膜モジュールの性能を十分に発揮しつつ、装填、取り出しを容易にし、メンテナンス時間や労力を低減する分離膜モジュールおよび分離膜エレメントの交換方法を提供することにある。
【課題を解決するための手段】
【００１６】
前記課題を解決するために、本発明は次の（１）〜（６）の実施態様に関する。【００１７】
（１）複数の分離膜エレメントを、筒状圧力容器内に装填した分離膜モジュールにおいて、
分離膜エレメントが、分離膜を含む膜ユニットが巻回されてなる膜ユニット巻体の外周が外装体で覆われ、膜ユニット巻体及び外装体の少なくとも片端にテレスコープ防止板が設けられ、少なくとも１つのテレスコープ防止板の外周に原水シール部材が設けられてなるスパイラル型分離膜エレメントであり、
分離膜エレメントを筒状圧力容器内で実質的に両方向に移動可能とする原水シール部材（ａ）を備える分離膜エレメント（Ａ）が、複数の分離膜エレメントの中の少なくとも片側の端部に装填されており、
分離膜エレメントを筒状圧力容器内で実質的に一方向にのみ移動可能とする原水シール部材（ｂ）を備える分離膜エレメント（Ｂ）が、前記複数の分離膜エレメントの中の分離膜エレメント（Ａ）が装填された位置以外の全ての位置に装填されていることを特徴とする分離膜モジュール。【００１８】
（２）分離膜エレメント（Ａ）が複数の分離膜エレメントの中の少なくとも片側の端部から連続して複数個装填されていることを特徴とする（１）に記載の分離膜モジュール。【００１９】
（３）原水シール部材（ａ）がスプリットリング状の非弾性材製シール部材またはＯ−リング状の弾性材製シール部材であることを特徴とする（１）または（２）に記載の分離膜モジュール。【００２０】
（４）原水シール部材（ｂ）がＵ−カップ状またはＶ−カップ状の弾性材製シール部材であることを特徴とする（１）〜（３）のいずれか一項に記載の分離膜モジュール。【００２１】
（５）分離膜エレメント（Ａ）の性能が分離膜エレメント（Ｂ）の性能と異なることを特徴とする（１）〜（４）のいずれか一項に記載の分離膜モジュール。【００２２】
（６）（１）〜（５）のいずれか一項に記載の分離膜モジュールにおいて分離膜エレメントを交換する方法であって、分離膜エレメント（Ｂ）を筒状圧力容器内から取り出すことなく少なくとも片側の端部に装填された分離膜エレメント（Ａ）を筒状圧力容器内から取り出すことを特徴とする分離膜エレメントの交換方法。
【発明の効果】
【００２３】
本発明によって、スパイラル型分離膜エレメントを耐圧容器に複数装填した分離膜モジュールにおいて、シール面に高硬度の異物があった場合でもシール性を維持して分離膜モジュールの性能を十分に発揮しつつ、分離膜エレメントの装填、取り出しを容易にし、メンテナンス時間や労力を低減する方法を提供することが可能となる。
【図面の簡単な説明】
【００２４】
【図１】図１は、本発明に係るスパイラル型分離膜エレメントの一例を示す部分破断斜視図である。
【図２】図２は、テレスコープ防止板にＯ−リングシールが装着された分離膜エレメントが圧力容器内に装填された状態を示す、Ｏ−リングシール装着部分近傍を拡大して模式的に示す部分拡大断面図である。
【図３】図３は、テレスコープ防止板にＵ−カップシールが装着された分離膜エレメントが圧力容器内に装填された状態を示す、Ｕ−カップシール装着部分近傍を拡大して模式的に示す部分拡大断面図である。
【図４】図４は、テレスコープ防止板にスプリットリング状の非弾性材製シール部材の一例を模式的に示す平面図（図４（ａ））、ｂ−ｂでの断面図（図４（ｂ））である。
【図５】図５は、本発明に係る複数のスパイラル型分離膜エレメントを筒状圧力容器に装填した分離膜モジュールの一例を示す断面図である。
【発明を実施するための形態】
【００２５】
以下、本発明の実施の形態について、図面を参照しながら説明するが、本発明はこれら図面に示す実施態様に限定されるものではない。
【００２６】
図１は、本発明が適用されるスパイラル型分離膜エレメントの一例を示す部分破断した斜視図である。スパイラル型分離膜エレメントの代表例は、図１に示すように、分離膜１、供給側流路材３、および透過側流路材２が積層状態で、有孔の中心管４の周囲にスパイラル状に巻回され、その分離膜巻回体の両端にテレスコープ防止板５が設置されている。分離膜１は端部が封止されて、供給流体と透過流体の混合を防止している。
【００２７】
分離膜１は平膜状の分離膜であって、逆浸透膜、限外ろ過膜、精密ろ過膜、ガス分離膜、脱ガス膜などが使用できる。供給側流路材３には、ネット状材料、メッシュ状材料、溝付シート、波形シート等が使用できる。透過側流路材２には、ネット状材料、メッシュ状材料、溝付シート、波形シート等が使用できる。いずれも、分離膜と独立したネットやシートでも構わないし、接着や融着するなどして一体化したものでも差し支えない。
【００２８】
テレスコープ防止板５は、分離膜巻回体が通過する流体の圧力により筒状に変形すること（テレスコープ現象）を防止するために設置された、空隙を有する板状物であり、外周側にはシール材を装填するための周回溝を有していることが好ましい。テレスコープ防止板５は変形防止の機能を有すれば、その材質は特に制約はない。ただし、用途に応じて、耐薬品性や耐熱性など必要になる場合は、要求仕様に応じて適宜選択することが可能である。一般には、熱可塑性樹脂、熱硬化性樹脂、耐熱性樹脂などの樹脂材が好適である。また、このテレスコープ防止板５は、原水の流れをなるべく妨げずに強度を維持する目的から、外周環状部と内周環状部と放射状スポーク部とを有するスポーク型構造であることが好ましい。
【００２９】
中心管４は、管の側面に複数の孔を有するものであり、中心管４の材質は、樹脂、金属など何れでもよいが、コスト、耐久性を鑑みて、ノリル樹脂、ＡＢＳ樹脂等のプラスチックが通常使用されることが一般的である。
【００３０】
分離膜１の端部を封止するための方法としては、接着法が好適に用いられる。接着剤としては、ウレタン系接着剤、エポキシ系接着剤、ホットメルト接着剤等、公知の何れの接着剤も使用することができる。
【００３１】
また、スパイラル型分離膜エレメントは、分離膜巻回体の外周部が外装材により拘束されて拡径しない構造になっていることも好ましい。外装材は、ポリエステル、ポリプロピレン、ポリエチレン、ポリ塩化ビニルなどからなるシートや、硬化性樹脂を塗ったガラス繊維などからなるもので、分離膜巻回体の外周表面に、かかるシートや繊維を巻回して分離膜エレメントが拡径しないように拘束する。
【００３２】
本発明は、図１に例示したようなスパイラル型分離膜エレメントを図５に断面図を例示するように筒状圧力容器２６に複数装填した分離膜モジュールに適用するものである。図５では、１９ａ〜１９ｆがそれぞれ図１に示す分離膜エレメントを示している。被処理流体（原水）は、被処理流体供給口１８から供給され、第１の分離膜エレメント１９ａの端部に供給される。第1の分離膜エレメントで処理された濃縮流体（濃縮水）は、第２の分離膜エレメント１９ｂに供給されその後、順次１９ｃ，１９ｄ，１９ｅ，１９ｆに供給、処理された後、最終的に濃縮流体排出口２０から排出される。それぞれの分離膜エレメント１９ａ〜１９ｆの中心パイプは、それぞれコネクター２１で連接されるとともに、端板２２ａ，２２ｂに設けられた透過流体（透過水）取出口２３ａ，２３ｂに接続されており、それぞれの分離膜エレメントで得られた透過流体（透過水）が集められ、系外に取り出される。
【００３３】
なお、図５では、被処理流体供給口１８と濃縮流体排出口２０が、端板に備えられているが、耐圧容器胴部２４の端板近傍（すなわち、被処理流体供給口１８が端板２２ａと第１の分離膜エレメント１９ａの間、濃縮流体排出口２０が端板２２ｂと最終分離膜エレメント１９ｆの間）に備えられていても差し支えない。
【００３４】
それぞれの分離膜エレメント１９ａ〜１９ｆは、図１におけるテレスコープ防止板５部分にシール部材２５ａ１，２５ａ２〜２５ｆ１，２５ｆ２が備えられ、それぞれの分離膜エレメントの被処理流体と濃縮流体が隔離されている。なお、この図では、それぞれの分離膜エレメント１９ａ〜１９ｆの両側にシール部材が備えられているが、片側（すなわち、２５ａ１〜２５ｆ１もしくは２５ａ２〜２５ｆ２）とすることも可能である。両方備えた方がシール性は向上するが、装填、取り出し時に困難度が増すこと、また、シール部材間（例えば、２５ａ１と２５ａ２の間）にデッドスペースを生じやすくなるため、例えば、ジュースの濃縮など濃縮液体が汚染されると問題となる場合は、好ましくない。
【００３５】
本発明では、図５に例示するように複数のスパイラル型分離膜エレメントを筒状圧力容器２６内に装填した分離膜モジュールにおいて、テレスコープ防止板の外周側に装着される原水シール部材が２種類以上用いられ、少なくとも１つの分離膜エレメント（Ａ）（以下、「分離膜エレメントＡ」という）のシール部材が、分離膜エレメントＡを筒状圧力容器２６内で実質的に両方向に移動可能とする（実質的に両方向への移動を限定しない）原水シール部材（ａ）（以下、「シール部材ａ」という）からなり、かつ、分離膜エレメントＡ以外の他の分離膜エレメント（Ｂ）（以下、「分離膜エレメントＢ」という）のシール部材が、分離膜エレメントを筒状圧力容器２６内で実質的に一方向にのみ移動可能とする（実質的に一方向への移動が不可となり他の方向への移動は限定されない）原水シール部材（ｂ）（以下、「シール部材ｂ」という）からなるとともに、分離膜エレメントＡを複数のスパイラル型分離膜エレメントの中の少なくとも片側の端部、すなわち、原水供給方向の最上流側、および／または、原水供給方向の最下流側に装填し、分離膜エレメントＢを分離膜エレメントＡが装填された位置以外の全ての位置に装填することによって達成することができる［上記実施態様（１）］。
【００３６】
例えば、図５においてシール部材２５ａ１と２５ａ２をスプリットリングシール、それ以外のシール部材２５ｂ１，２５ｂ２，２５ｃ１，２５ｃ２，２５ｄ１，２５ｄ２，２５ｅ１，２５ｅ２，２５ｆ１，２５ｆ２をＵ−カップリングシールとして図３に示すように左開きに嵌着することによって、前述のように第１の分離膜エレメント１９ａのみを交換するにあたり、図５の被処理液供給側の端板２２ａを開け、第１の分離膜エレメント１９ａだけ抜き出し、新規の分離膜エレメントを装填するという分離膜エレメントの交換作業が容易に実施できる［上記実施態様（６）］。また、シール部材がすべてスプリットリングシールである場合の問題である、スプリットリングシールのシール不良によるわずかなリークが発生した場合でも、第２の分離膜エレメント１９ｂ以降でＵ−カップリングのシール部材が確実な左開きに装着されているため、第２の分離膜エレメント１９ｂ以降での被処理液のリークは発生しないため、分離膜エレメントの交換が容易であることと、リークシール不良による性能低下リスク削減を両立できることとなる。
【００３７】
また、図５においてシール部材２５ｆ１と２５ｆ２をスプリットリングシール、それ以外のシール部材２５ａ１，２５ａ２，２５ｂ１，２５ｂ２，２５ｃ１，２５ｃ２，２５ｄ１，２５ｄ２，２５ｅ１，２５ｅ２をＵ−カップリングシールとして図３に示すように左開きに嵌着することによって、前述のように第６の分離膜エレメント１９ｆのみを交換するにあたり、図５の濃縮流体排出側の端板２２ｂを開け、１本だけ抜き出し、新規の分離膜エレメントを装填するという分離膜エレメントの交換作業が容易に実施できる。
【００３８】
従って本発明の主旨を鑑みると、分離膜エレメントＡは、複数の分離膜エレメントの中の少なくとも片側の端部、すなわち、原水供給方向の最上流側または原水供給方向の最下流側から連続して複数個装填されていることも好ましい実施態様である。［上記実施態様（２）］。この実施態様の場合、例えば原水供給方向の最上流側から２番目の分離膜エレメントを交換する際に、原水供給方向の最上流側から２本の分離膜エレメントだけを抜き出し、新規の分離膜エレメントを装填する分離膜エレメントの交換作業が容易に実施できる。ただし、分離膜エレメントの汚れやスケール析出によって分離膜エレメントを交換する場合は、交換が必要な分離膜エレメントは１本だけであることが多いので、最上流や最下流の分離膜エレメントのみを分離膜エレメントＡとすることが特に好ましい。
【００３９】
本発明で、用いるシール部材としては、これまでに述べてきたようにＯ−リングシール、Ｘ状リングシール、Ｕ−カップリングシール、スプリットリングシールを挙げることができるが、本発明においては、Ｕ−カップリングシールのように嵌着方向によって特性が変化する場合は、嵌着方向が異なる場合も、「異なるシール部材」と取り扱う。さらに、同じシール部材であっても二重に用いる場合、例えば、２５ａ１の位置に一つのシール部材を使う、２５ｂ１〜ｆ１には同じシール部材を二つ用いる、また、２５ａ１にはシール部材を備え、２５ａ２にはシール部材を備えず、残りの２５ｂ１〜ｆ１、２５ｂ２〜ｆ２にはシール部材を用いるといった構成も、実質的に一部の分離膜エレメントのシール部材が異なることになる。スプリットリングシールにおいても国際公開第２０１１／０４６９４４号（特許文献３）に例示されているように、様々な材質、形状があり、シール性や摺動摩擦も異なるため、その特性によって分離膜エレメントＡと他の分離膜エレメントのシール部材を適宜選択することが可能である。ただし、分離膜エレメントＡは、分離膜エレメントＢに比べ、圧力容器内を両方向に動かして装填、取り出しが可能であることが必要である一方で、分離膜エレメントＢは圧力容器内の移動に制約があってもシール性が高いことが好ましい。具体的には、原水シール部材（ａ）の特性としては、「分離膜エレメントを筒状圧力容器内で実質的に両方向に移動可能とする」ことが求められる。すなわち、両方向に移動させる場合の摺動抵抗に実質的な差がない、例えば、摺動面とシール部材が並行もしくは両方向対称に接触するものが求められる。このような特性を有する原水シール部材（ａ）の形状としては、スプリットリング状、もしくはＯ−リング状、さらに、シール接触面がとがった、すなわち、断面がたとえば三角形になっているデルタリング状や断面がＯではなく凸レンズ状、また、接触面が凹凸を保った波板状などを適用することができる［上記実施態様（３）］。素材は、スプリットリング状の場合は、非弾性材を用いることが好ましく、有機材料としては、ポリテトラフルオロエチレン、ポリフッ化ビニリデン、ポリエチレン、ポリプロピレンを始めとする、様々な硬質プラスチック、無機材料としても、鉄、ステンレス、銅、アルミニウム、チタンやそれらの合金を使うこともできれば、セラミック、黒鉛、石綿も用いることができるし、また、ＦＲＰなどのように有機無機複合体や以上の素材の複層品を用いることも可能である。
【００４０】
Ｏ−リングやデルタリングなどの場合、弾性材製シール部材を用いるとシール性が高くなるため好ましいが、摺動性が損なわれやすいため、注意が必要である。摺動性を重視するため、弾性材製シール材で一般に考慮する潰し代（弾性材からなるＯ−リングなどで密着性を上げるため、使用時に圧縮変形させる割合のことで、通常時の弾性材製シール材の外径における使用時に圧縮変形されて縮む外径の割合のことを指す。）を小さくすることが重要である。具体的には、通常８〜３０％とされている潰し代を、１０％以下、より好ましくは５％以下にすることによって、圧力容器内での良好な摺動性を保つことが可能となる。
【００４１】
弾性材としては、特に制約はなく、ニトリルゴム、スチロールゴム、シリコーンゴム、フッ素ゴム、アクリルゴム、エチレンプロピレンゴム、ウレタンゴムなど、一般に多用されるシール材を用いることができる。
【００４２】
なお、これらの素材は、分離膜モジュールの対象となる流体に耐久性があることが好ましい。たとえば、海水を対象にする場合は、鉄合金を用いると腐食しやすいので注意を要する。
【００４３】
一方、原水シール部材（ｂ）としては、原水シール材（ａ）と逆に、一方向への摺動抵抗が反対方向への摺動抵抗よりも著しく大きく、実質的に摺動抵抗が大きい方向に動かすことができないものである。このような特性を有する原水シール部材（ｂ）としては、非対称であって、例えば、図３に例示するように一方向（右）から摺動させようとするとＶ形状が開いて摺動面との接触が密になるＵ−カップ状またはＶ−カップ状の弾性材製シール部材であることが好ましい［上記実施態様（４）］。
【００４４】
さらに、本発明は、汚れた分離膜エレメントを交換する場合以外にも、複数種類の特性（透水性能、除去性能、耐圧性など）が異なる分離膜エレメントを圧力容器に装填することによって分離膜モジュール内全体の性能バランスを高めることができる［上記実施態様（５）］。例えば、国際公開ＷＯ２００５／０８２４９７号で提案されているように、透水性能の異なる分離膜エレメントをひとつの圧力容器に装填する場合、また、複数分離膜エレメントのコネクターの一つを流体が通らないプラグにして、透過水を２方向から取り出す方法も、例えば日本国特開２００１−１３７６７２号公報で提案されているが、これらのケースでは、汚れたりスケール析出したりしない場合でも、同じ品種の分離膜エレメントを同じ位置に装填する必要があるため、本発明に好適である。
【００４５】
本発明を適用可能な被処理流体（原水）は特に、制限されるものではなく、河川水、海水、下水処理水、雨水、工業用水、工業廃水など、いろいろな流体を挙げることができるが、原水濃度変化によって、分離膜の運転条件や分離性能が大きく変動する、濃度の高い流体、とくに海水に好適である。
【００４６】
本発明を詳細にまた特定の実施態様を参照して説明したが、本発明の精神と範囲を逸脱することなく様々な変更や修正を加えることができることは、当業者にとって明らかである。
本出願は、２０１２年２月２９日出願の日本特許出願２０１２−０４２９６９に基づくものであり、その内容はここに参照として取り込まれる。
【産業上の利用可能性】
【００４７】
本発明は、筒状圧力容器に複数のスパイラル型分離膜エレメントを装填した分離膜モジュールにおいて、性能を十分に発揮しつつ、装填、取り出しを容易にし、メンテナンス時間や労力を低減する分離膜モジュールおよび分離膜エレメントの交換方法として、好適に利用することができる。
【符号の説明】
【００４８】
１：分離膜
２：透過側流路材
３：供給側流路材
４：中心管
５：テレスコープ防止板
６，６ａ：被処理流体（原水）
７，７ａ：透過流体（透過水）
８：濃縮流体（濃縮水）
９：筒状圧力容器の内壁
１０：テレスコープ防止板の外周部
１１：テレスコープ防止板の外周面
１２：Ｏ−リングシール
１３：Ｕ−カップシール
１４：スプリットリング状の非弾性材製シール部材
１５：スプリットリング状の非弾性材製シール部材のスプリット部
１６：スプリットリング状の非弾性材製シール部材の内径
１７：スプリットリング状の非弾性材製シール部材の外径
１８：被処理流体（原水）供給口
１９ａ，１９ｂ，１９ｃ，１９ｄ，１９ｅ，１９ｆ：分離膜エレメント
２０：濃縮流体（濃縮水）排出口
２１：コネクター
２２ａ，２２ｂ：端板
２３ａ，２３ｂ：透過流体（透過水）取出口
２４：耐圧容器胴部
２５ａ１，２５ｂ１，２５ｃ１，２５ｄ１，２５ｅ１，２５ｆ１：シール部材
２５ａ２，２５ｂ２，２５ｃ２，２５ｄ２，２５ｅ２，２５ｆ２：シール部材
２６：筒状圧力容器
【図１】
2013129283.tif 000002
【図２】
2013129283.tif 000003
【図３】
2013129283.tif 000004
【図４】
2013129283.tif 000005
【図５】
2013129283.tif 000006
【国際調査報告】
2013129283.tif 000007
2013129283.tif 000008
2013129283.tif 000009
2013129283.tif 000010